(57)【要約】【課題】時計アセンブリの二部品間の弾性連接リンクを実現する構造を提供する。【解決手段】時計アセンブリの二部品間の弾性連接リンクを実現する構造であって、前記二つの部品間にねじり状に作用し、弾性戻り力を作用させる少なくとも一つのリンクシャフトと一つのばね（２５、２５’）からなることを特徴とする、構造。【選択図】図４
2014079624.tif 000002
【特許請求の範囲】
【請求項１】
時計アセンブリの二部品間の弾性連接リンクを実現する構造であって、前記二部品間にねじり状に作用し、弾性戻り力を働かせる少なくとも一つのリンクシャフトと一つのばね（２５、２５’）からなり、該ねじりばねは、少なくとも一つのガイド面を有し、前記時計アセンブリの少なくとも一つの部品の動きを、より少ない遊びで、ガイドすることを特徴とする、構造。
【請求項２】
少なくとも一つのらせん形のねじりばねを有し、その第一部（３６；５６；５７）は前記時計アセンブリの第一部品に連結され、その第二部（３７；５０）は前記時計アセンブリの第二部品に連結される
ことを特徴とする、請求項１に記載の時計アセンブリの二部品間の弾性連接リンクを実現する構造。
【請求項３】
ねじりワイヤを有する少なくとも一つのねじりばねを有する
ことを特徴とする、請求項１に記載の時計アセンブリの二部品間の弾性連結リンクを実現する構造。
【請求項４】
前記ねじりばねは、前記ねじりワイヤに追加されその周りに固定された少なくとも一つの部品を有し、前記部品の外面は前記時計アセンブリの少なくとも一つの部品の動作のためのガイド面を構成する
ことを特徴とする、請求項３に記載の時計アセンブリの二部品間の弾性連結リンクを実現する構造。
【請求項５】
前記ねじりばねの少なくとも一つの部分は、角度ブロック要素を有し、それによりリンクされた時計部品に対してこの部分の両方向への回転を防止または制限する
ことを特徴とする、請求項１から４のいずれか一項に記載の時計アセンブリの二部品間の弾性連結リンクを実現する構造。
【請求項６】
ねじりばねの部品の角度ブロック要素は、実質的に円筒状の表面に配置され、放射状（４３）および／または軸状（３２；３３；５２；５３）である少なくとも一つの突起（３８；３９；３８’；３９’、５１；５８；５９）および／または一組の歯および／または一つのフラット（３４）および／または一つの皿穴および／または一つの切欠きを有し、それにより前記らせん形のねじりばねがリンクされた前記時計部品に対する両方向への相対的な回転を防止または制限する
ことを特徴とする、請求項５に記載の時計アセンブリの二部品間の弾性連結リンクを実現する構造。
【請求項７】
各々その端部および／または中央部に配置された角度ブロック要素を有する少なくとも二つの部分（３６、３７；５６、５０、５７）を有するらせん形のねじりばねを有する
ことを特徴とする、請求項２に記載の時計アセンブリの二部品間の弾性連結リンクを実現する構造。
【請求項８】
前記少なくとも一つのガイド面は、ねじりトルクにより弾性戻り機能を実現する旋回部を有するらせん形のねじりばねの領域の外径より大きい外径を有するらせん形のねじりばねの領域であるおよび／または旋回部を有するらせん形のねじりばねの領域の内径より小さい内径を有する軸状切欠き（３２；３３；５２；５３）を有するらせん状のねじりばねの領域である
ことを特徴とする、請求項１から７のいずれか一項に記載の時計アセンブリの二部品間の弾性連結リンクを実現する構造。
【請求項９】
前記少なくとも一つのガイド面は、角度ブロック要素を有する前記らせん形のねじりばねの一部と合体している
ことを特徴とする、請求項５に記載の時計アセンブリの二部品間の弾性連結リンクを実現する構造。
【請求項１０】
少なくとも一つのらせん形のねじりばねを有し、その中央に連接シャフト（２４）を構成するバーが配置され、その周りには前記時計アセンブリの少なくとも一つの部品が連接される
ことを特徴とする、請求項１から９のいずれか一項に記載の時計アセンブリの二部品間の弾性連結リンクを実現する構造。
【請求項１１】
少なくも一つのねじりばねを有し、その少なくとも一部（４６、４７）は前記二つの時計部品間のリンクシャフトを構成する
ことを特徴とする、前記請求項１から９のいずれかに記載の時計アセンブリの二部品間の弾性連結リンクを実現する構造。
【請求項１２】
一体型の部品またはリンクされた二つの異なる部品（２５、２５’）からなる少なくとも一つのねじりばね、特にらせん状のねじりばねを有する
ことを特徴とする、請求項１から１１のいずれか一項に記載の時計アセンブリの二部品間の弾性連結リンクを実現する構造。
【請求項１３】
前記請求項のいずれかに記載の時計アセンブリの二部品間の弾性連接リンクを実現する構造を有する、時計アセンブリ。
【請求項１４】
腕時計のブレスレットの留め金であって、第一部品は前記留め金をロックおよびアンロック（２３）するレバーなどのロック装置である
ことを特徴とする、請求項１３に記載の時計アセンブリ。
【請求項１５】
前記留め金は、互いに相対的に動く少なくとも二つのブレード（１０、２０）と、可動ブレード（２０）の自由端に配置された少なくとも一つのロック装置とを有し、前記可動ブレード（２０）と前記ロック装置間の弾性連結リンク構造は前記請求項１から１２のいずれかに記載されたものである
ことを特徴とする、請求項１４に記載の時計アセンブリ。
【請求項１６】
前記留め金を横断する方向に並べられた二つのねじりばね（２５）を有し、その二つの側部端は前記留め金の端部リンク（２２）の鍵形状に係合される角度ブロック要素を有し、その二つの中央端は、前記留め金をロックするための連結レバー（２３）タイプの連結要素を有する中央可動リンクアセンブリの鍵形状と係合されるブロック要素を有する
ことを特徴とする、請求項１５に記載の時計アセンブリ。
【請求項１７】
一つのねじりばね（２５）を有し、その少なくとも一つの側端部（５６：５７）は、前記留め金の端部リンクに形成された鍵形状と係合するブロック要素を有し、前記留め金をロックする連結要素を有する中央可動リンクアセンブリと係合するブロック要素を有する固定領域（５０）を有する
ことを特徴とする、請求項１５に記載の時計アセンブリ。
【請求項１８】
一つのねじりばね（２５）を有し、その少なくとも第一側端部は前記留め金の端部リンク（２２）に形成された鍵形状と係合するブロック要素を有し、その第二側端部は前記留め金をロックする連結レバー（２３）タイプの連結要素を支えるリンクアセンブリに形成された鍵形状と係合するブロック要素を有する
ことを特徴とする、請求項１５に記載の時計アセンブリ。
【請求項１９】
対応する穴（６７’）に係合する突起（６６）等からなる連結手段によって互いにリンクされた少なくとも二つのねじりばね（２５、２５’）を有する
ことを特徴とする、請求項１５に記載の時計アセンブリ。
【請求項２０】
ねじりばねの少なくとも一つの側部端は円形切欠き（３２、３３、５２、５３）を有し、その内径は前記弾性機能を実現するばね（３５；５５）の一部をなす旋回部の直径より小さい
ことを特徴とする、請求項１５から１９のいずれか一項に記載の時計アセンブリ。
【請求項２１】
前記第一部品のための連接シャフト（２４）を構成するバーが前記円形切欠きの中に配置される
ことを特徴とする、請求項２０に記載の時計アセンブリ。
【請求項２２】
ねじりばねの少なくとも一つの側部端は、端部リンクアセンブリの開口と係合する横断円筒形ガイド部（４７）を有する
ことを特徴とする、請求項１５から２１のいずれかに記載の時計アセンブリ。
【請求項２３】
留め金の中央リンク（２８）に形成された鍵形状と係合するブロック要素を有するしっかりと取り付けられた第一部によりカバーされ、かつ前記留め金をロックする連結レバー（２３）タイプの連結要素と係合するブロック要素を有するしっかりと取り付けられた第二部によりカバーされた、ねじりワイヤを有するねじりばねを有する
ことを特徴とする、請求項１５に記載の時計アセンブリ。
【請求項２４】
腕時計のためのブレスレットであり、前記時計アセンブリの前記二部品は、並列され連接された前記ブレスレットの二つのリンクアセンブリである
ことを特徴とする、請求項１３に記載の時計アセンブリ。
【請求項２５】
請求項１から１２のいずれか一項に記載された二部品間の弾性連接リンクのための構造を有する、腕時計。
【発明の詳細な説明】
【技術分野】
【０００１】
本発明は、時計アセンブリの二部品間の弾性連接リンクを実現するための構造に関し、特に腕時計のブレスレットの留め金の部分またはブレスレットのリンク構造に適用された構造に関する。本発明はまた、このような構造を有する留め金、ブレスレットおよび腕時計に関する。
【背景技術】
【０００２】
図１は、特許文献１の文献に記載される、ブレスレット留め金の二つの可動ブレード１および２を弾性的にロックおよびアンロックする構造を示す。第一可動ブレード１は、弾性手段の効果により、接続ポストに連結レバー３をフックすることにより、第二ブレード２に対して折り曲げ位置でロックされる。第一実施例において、これらの弾性手段は、曲げることにより動作するよう構成されたブレードばね５からなり、このばねは中間リンク部材のロッド８を支持する第一自由端６および連結レバーの上部壁の内部面に支持される第二端７を有する。
【０００３】
この構造により、優位なロック安全性を実現しつつ、留め金を開くのに必要な力を最適化することができ、留め金の開閉安全性および取扱いの面から満足できる解決策を提供することができる。
【０００４】
同じ文献に開示される第二実施例によると、図２に示す通り、弾性手段は圧縮モードで作動するらせんばね５’からなる。
【０００５】
多くの他の文献に、腕時計のブレスレットにおいて二つの部品間のリンクを実現する他の構造が開示されており、それらはすべて圧縮モードで作動するらせんばねを採用する弾性戻り手段を使用する。
【０００６】
例示として、特許文献２および特許文献３は、ブレスレットのための留め金のデザインを開示し、ロック構造の作動は、留め金のブレード内に形成された開口内をブレスレットの長手方向に伸びるらせんばねの圧縮により実行される。このデザインは前述の構造に比べて効率が悪い。なぜならばこのタイプのばねを使用して得られるロック力は最適ではなく、このような留め金はユーザにとって操作しにくいからである。
【０００７】
特許文献４および特許文献５もまた、ブレスレットの留め金のデザインを開示するが、そのロック構造の動作はらせんばねの圧縮により実行され、らせんばねはブレスレットの長手方向に対して垂直な方向に伸びている。
【０００８】
特許文献６は、ねじりモードで作動するらせんばねにより弾性的に戻るカバーを有する留め金のロック装置を開示する。このばねは、カバーの旋回軸と一致する連接シャフトの周りに配置される。ばねの第一端は曲げられて、カバーの切り欠きに対して遊びを有して挿入され、ばねの第二端は留め金のブレードに対して押しつけられる。ねじりモードで作動するばねを選択することにより、ばねのアセンブリ遊びによる満足のいく弾性効果および安定したより複雑な連接動作を得ることができる。
【０００９】
前述のどの手段によっても、ロック機構または弾性連接部の安全性、操作の使いやすさ、および構造の体積を最適に両立することはできない。実施においては、一番効率的な方法を選択すると体積が増えてしまい、それにより外観上の美しさは損なわれ、適用は制限的となってしまう。体積をあまり増加させない他の構造によると、効率が落ちてしまう。
【先行技術文献】
【特許文献】
【００１０】
【特許文献１】欧州特許第１６５４９５０号明細書
【特許文献２】スイス特許第６８９９３１号明細書
【特許文献３】スイス特許第６９９０４４号明細書
【特許文献４】欧州特許第１３７４７１６号明細書
【特許文献５】欧州特許第０３５０７８５号明細書
【特許文献６】欧州特許第０９０８１１２号明細書
【発明の概要】
【発明が解決しようとする課題】
【００１１】
上述した各デザインは、ブレスレットの留め金に関して開発されたものであるが、ブレスレットリンクアセンブリ間のリンクや、すべての弾性的に連接される時計部品間に適用可能である。例えば、前述の手段は、腕時計のケースとブレスレット鎖との間のリンクに適用することができる。
【課題を解決するための手段】
【００１２】
本発明の目的の一つは、弾性アセンブリの効率およびその体積の最適な料率を実現するような、時計アセンブリの二部品間の弾性連接リンクの構造を提案することにある。
【００１３】
本発明は、ブレスレットの留め金や、ブレードの連接部や、腕時計のブレスレットのリンクアセンブリへの適用を特に考慮して発明された。
【００１４】
そのため、本発明は時計アセンブリの二部品間の弾性連接リンクの構造に関し、ねじりモードで作動する少なくとも一つのばねを使って連接部の弾性効果を実現することを特徴とする。
本発明は、より詳細には請求項により規定される。
本発明の目的、特徴、優位性は、添付する図面に関連して限定されない態様で示される特定の実施形態の説明によって、より詳細に説明される。
【図面の簡単な説明】
【００１５】
【図１】従来例の第一の構造に係る留め金の断面図である。
【図２】従来例の第二の構造に係る留め金の断面図である。
【図３】本発明の第一実施例にかかる留め金の平面斜視図である。
【図４】構造の主要要素、特にねじりばねが透過で示される、第一実施例に係る留め金の平面図である。
【図５】本発明の第一実施例に採用されるばねの斜視図を示す。
【図６】図６ａは、本発明の第一実施例に係る留め金の、長手面Ｉ−Ｉにおける断面図である。図６ｂは、前記断面図の拡大図である。
【図７】図７ａは、本発明の第一実施例に係る留め金の、長手面ＩＩ−ＩＩにおける断面図である。図７ｂは、前記断面図の拡大図である。
【図８】図８ａは、本発明の第一実施例に係る留め金の、長手面ＩＩＩ−ＩＩＩにおける断面図である。図８ｂは、前記断面図の拡大図である。
【図９】本発明の第二実施例に係る留め金の平面斜視図である。
【図１０】構造の主要要素、特にねじりばねが透過で示される、第二実施例に係る留め金の平面図である。
【図１１】本発明の第二実施例に係るばねの斜視図である。
【図１２】本発明の第二実施例に係るばねの側面図である。
【図１３】図１３ａは、本発明の第二実施例に係る留め金の、長手面Ｉ−Ｉにおける断面図である。図１３ｂは、前記断面図の拡大図である。
【図１４】図１４ａは、本発明の第二実施例に係る留め金の、長手面ＩＩ−ＩＩにおける断面図である。図１４ｂは、前記断面図の拡大図である。
【図１５】図１５ａは、本発明の第二実施例に係る留め金の、長手面ＩＩＩ−ＩＩＩにおける断面図である。図１５ｂは、前記断面図の拡大図である。
【図１６】本発明の第三実施例に係る留め金の平面斜視図である。
【図１７】構造の主要要素、特にねじりばねが透過で示される、第三実施例に係る留め金の平面図である。
【図１８】本発明の第三実施例に係るばねの斜視図である。
【図１９】本発明の第三実施例に係るばねの側面図である。
【図２０】図２０ａは、本発明の第三実施例に係る留め金の、長手面Ｉ−Ｉにおける断面図である。図２０ｂは、前記留め金の断面図の拡大図である。
【図２１】図２１ａは、本発明の第三実施例に係る留め金の、長手面ＩＩ−ＩＩにおける断面図である。図２１ｂは、前記留め金の断面図の拡大図である。
【図２２】図２２ａは、本発明の第三実施例に係る留め金の、長手面ＩＩＩ−ＩＩＩにおける断面図である。図２２ｂは、前記留め金の断面図の拡大図である。
【図２３】本発明の第三実施例に係る留め金のばねの取り付けを示す概略図である。
【図２４】本発明の第四実施例に係る留め金の平面斜視図である。
【図２５】構造の主要要素、特にねじりばねが透過で示される、第四実施例に係る留め金の平面図である。
【図２６】本発明の第四実施例に係るねじりばねの横平面ＩＶ−ＩＶにおける断面図である。
【図２７】本発明の第四実施例において使用されるばねの斜視図である。
【図２８】本発明の第四実施例において使用されるばねの斜視図である。
【図２９】図２９ａは、本発明の第四実施例に係る留め金の、長手面Ｉ−Ｉにおける断面図である。図２９ｂは、前記留め金の断面図の拡大図である。
【図３０】図３０ａは、本発明の第四実施例に係る留め金の、長手面ＩＩ−ＩＩにおける断面図である。図３０ｂは、前記留め金の断面図の拡大図である。
【図３１】図３１ａは、本発明の第四実施例に係る留め金の、長手面ＩＩＩ−ＩＩＩにおける断面図である。図３１ｂは、前記留め金の断面図の拡大図である。
【図３２】本発明の第四実施例に係る留め金の平面斜視図である。
【図３３】構造の主要要素、特にねじりばねが透過で示される、第五実施例に係る留め金の平面図である。
【図３４】本発明の第五実施例に係るねじりばねの横平面ＩＶ−ＩＶにおける断面図である。
【図３５】本発明の第五実施例において使用されるばねの斜視図である。
【図３６】図３６ａは、本発明の第五実施例に係る留め金の、長手面Ｉ−Ｉにおける断面図である。図３６ｂは、前記留め金の断面図の拡大図である。
【図３７】図３７ａは、本発明の第五実施例に係る留め金の、長手面ＩＩ−ＩＩにおける断面図である。図３７ｂは、前記留め金の断面図の拡大図である。
【図３８】図３８ａは、本発明の第五実施例に係る留め金の、長手面ＩＩＩ−ＩＩＩにおける断面図である。図３８ｂは、前記留め金の断面図の拡大図である。
【図３９】本発明の第六実施例に係る留め金の平面斜視図である。
【図４０】構造の主要要素、特にねじりばねが透過で示される、第六実施例に係る留め金の平面図である。
【図４１】本発明の第六実施例に係るねじりばねの横平面ＩＩＩ−ＩＩＩにおける断面図である。
【図４２】本発明の第六実施例において使用されるばねの第一変形例を示す斜視図である。
【図４３】本発明の第六実施例において使用されるばねの第二変形例を示す斜視図である。
【図４４】図４４ａは、本発明の第六実施例に係る留め金の、長手面Ｉ−Ｉにおける断面図である。図４４ｂは、前記留め金の断面図の拡大図である。
【図４５】図４５ａは、本発明の第六実施例に係る留め金の、長手面ＩＩ−ＩＩにおける断面図である。図４５ｂは、前記留め金の断面図の拡大図である。
【図４６】本発明の第七実施例に係るブレスレットの二つのリンクアセンブリ間の連接リンクを示す図である。
【図４７】本発明の一実施例に係るねじりばねを製造する方法の仮のステップを示す概略図である。
【発明を実施するための形態】
【００１６】
本発明の特徴は、少なくとも一つのねじりモードで作動するばねを使用することにある。後述するとおり、この構成を採用することにより、構造の体積を大幅に減らすことができる。
【００１７】
以後の説明において、本発明をより理解しやすくするため、本発明の複数の実施例に出てくる同等の要素には同じ符号を付ける。
【００１８】
図３から８には、本発明の第一実施例に係るブレスレットの留め金を示す。この留め金は二つのブレード１０および２０を有し、これらのブレードは、ここでは詳細に説明しないが、特許文献１の明細書に開示されたような原理に基づいて連接される。後者は、連結レバー２３の連接シャフト２４の周りに配置される二つのねじりばね２５、特に二つのらせんばね、を実装する。本発明はこのように、ブレスレットの留め金のロック／アンロック要素の連接に実装される。
【００１９】
本発明の第一実施例にかかる留め金は、シャフト１９によって連接状態にリンクされる複数のリンク１８を含む第一ブレスレットリンクアセンブリを支える第一端に向かって、連結ポスト１３を支える第一ブレード１０を有する。これらの要素は、特に図６から８に示される。この第一リンクアセンブリは、第一ブレスレット鎖の一端を構成する。この第一ブレード１０は、第二端にある連接シャフト１１の周りで第二ブレード２０に対して連接状態にリンクされる。
【００２０】
この第二ブレード２０は、連接シャフト１１と反対の自由端に向かって、連結ポスト１３と協働するフックを有する連結レバー２３を支える。連結レバー２３は、留め金のほぼ全幅において長手方向に対して垂直な方向に伸びる連接シャフト２４の周りに連接される。後述する通り、二つのねじりばね２５が連接シャフト２４の周りに配置される。ブレスレットリンクアセンブリも、第二ブレード２０の同一端に配置され、第二ブレスレット鎖の一端を構成する。このリンクアセンブリは、中央リンク２８および、連結レバー２３の連接シャフト２４に連結された二つの端リンク２２を有する。この第一列のリンクは別のリンク２８’に連結される。リンクアセンブリのすべてのリンクはシャフト２９によって連結される。取り扱いを容易にするため、グリップ部３０がしっかりと連結レバー２３に取り付けられる。特に図３に示す通り、留め金が閉位置にある場合、二つのブレード１０および２０の異なるリンク１８、２２、２８および２８’は連なったアセンブリを構成し、その中でグリップ部３０は、美しい外観を実現するため、留め金のリンクの間に、別の部品としてではあるが容易に操作可能な状態で、取り付けられる。連結レバー２３は、ブレスレットリンクと似たような構造を有する。ブレスレットは、留め金が閉構造になった状態では連続した外観で腕の全周に巻くことができ、その状態では、下記に説明する通り、機構の体積が減ったことにより厚さを薄くすることができるため、ブレスレットは目立ちにくい。
【００２１】
図５は、この第一実施例において使用されるばね２５の斜視図である。このばね２５は、二つの端部３６および３７の間に配置され、複数の旋回部からなり、ばねの弾性機能を奏する、らせん形の中央部３５を有する。各端部３６および３７は実質的に円筒状の形をしており、その周りには各々３８および３９で示す少なくとも一つの突起を有する。さらに、二つの端部３６および３７の中央部にはそれぞれ、ばねの軸方向に伸びた円形の切欠き３２および３３が形成される。この実施例において、留め金は、留め金の長手面に対して対称であり、かつ一列に並んだ、上述したような二つのばねを使用する。
【００２２】
第一実施例にかかる解決方法の実施について、図６から８に示す断面図を参照して説明する。
【００２３】
図６ａおよび６ｂは、ばね２５の第一端３６の長手面Ｉ−Ｉにおける、第一実施例による留め金の断面図を示す。図に示す通り、この端部３６はその突起３８が連結レバー２３内に形成された開口に収納され、この開口は突起３８に対する鍵形状をなす。この構造により、連結レバー２３に対してばね２５の端部３６の両方向への回転をブロックすることができる。この鍵形状は、突起ひいてはばねの端部を完全に固定するのに適した形状であってもよいし、変形例としては、ほぼ補い合う形状であって、突起とその鍵形状との間の連結に対して半径方向に遊びを残す形状であってもよいし、鍵形状によって形成される二つの隣接部の間に突起が角度方向に動くことができる余裕を残す形状であってもよい。内部の切欠き３２は、連接シャフト２４の周りにあまり遊びを残さない状態で配置される。
【００２４】
図７ａおよび７ｂは、ばね２５の中央部にある、上述と同じ留め金を図示する。ばね２５の中央部３５の旋回部分は、遊びを持たせつつ連接シャフト２４の周りを囲んでいる。
【００２５】
図８ａおよび８ｂは、ばね２５の第二端部３７の長手面における、第一実施例にかかる留め金の断面図を示す。突起３９はそれぞれ、留め金の端部リンク２２の内側表面に配置されるほぼ補い合う形状の開口部に係合し、それによりこの第二端の回転がブロックされる。後者は、打ち込み、溶接、ろう付け、または接着等により、端部リンク２２に確実に固定することができる。変形例として、両者を固定せずに、遊びを残して回転をブロックするか、または半径（角度）方向にある程度動くように係合してもよい。この内部切欠き３３は連結シャフト２４の周りにあまり遊びを残さない状態で配置される。
【００２６】
少なくとも一つの側面切欠き３２および３３によって得られた内部直径は、ばね２５の中央部３５の旋回部分の内部直径より小さい。さらに、ばね２５の端部３６および３７（または少なくともそのうちの一つの端部）の外部直径（突起３８および３９を除く）は、ばねの中央部３５の旋回部分の外部直径よりも大きい。突起は端部３６および３７の外部直径の延長にある。この構造により、連結レバー２３の回転は、内部切欠きは連接シャフト２４と接触し、外の部分は一方では連結レバー２３と接触し、他方では端部リンク２２と接触した状態で、ばねの端部３６および３７により確実にガイドされる。このガイドは中央部の旋回部分の形状の変動とは独立して行うことができる。ばねの端部は二つの時計部品の相対的な動きをガイドするための面を構成し、それにより部品の動き、特に弾性的な戻りの動きを安定化することができる。
【００２７】
他の弾性ねじり手段を有する他の種類の留め金ロック／アンロック機構を実装する、本発明の留め金の他の実施例を以下に説明する。本発明は留め金ロック／アンロック装置に特徴を有しないため、ロック／アンロック装置については以下に簡単に触れるのみとする。
【００２８】
図９から１５は、本発明の第二実施例にかかる留め金を示す。
【００２９】
特に図９および１０に示す本実施例の留め金は、実施例１の留め金と同じく二つの連接ブレードを有するが、実施例１とは異なり、留め金が閉位置にある場合に機構を覆うカバーを有する。このカバーは、第一部品として二つの側部端において旋回可能な可動タブ４１を有し、可動タブは実施例１の連結レバーと同じ機能を有する連結レバー２３に強固に連結され、および固定された第二部品４０を有する。
【００３０】
本実施例においては、図１１および１２に示す、異なるばね２５を使用する。ばね２５は、前述のばねと同様、二つの端部３６および３７の間に、弾性機能を実現するための旋回部分を有する。しかしながら、これらの端部は後述の図に基づいて説明する通り、少し異なる形状を有する。
【００３１】
図１３ａおよび１３ｂは、ばね２５の第一端部３６の長手面Ｉ−Ｉにおける留め金の断面図を示す。図示の通り、この端部３６は、突起３８がカバーに形成された固定第二部分４０にしっかりと接続された部分に形成された開口部に収納され、この開口部は突起３８の鍵形状を形成する。この構造により、カバーに対するばね２５の端部３６の回転をブロックすることができる。
【００３２】
図１４ａおよび１４ｂは、ばね２５の中央部にある断面ＩＩ−ＩＩにおける、上述と同じ留め金の断面図を示す。図示の通り、ばね２５の旋回部の一部は、連接シャフト２４を構成するバー、特にばねバーもしくは取り外し可能なバー、の周りを囲む。
【００３３】
図１５ａおよび１５ｂは、ばね３５の第二端部３７にある留め金の断面ＩＩＩ−ＩＩＩを示す図である。その突起３９は、可動タブ４１の内面に配置された対応する開口部と係合し、それにより可動タブに対して第二端部の回転をブロックすることができる。この第二端はさらに周辺部分にフラット３４を有し、カバーにしっかりと取り付けられたリンクアセンブリの皿穴と係合する。このフラットはさらに、ばね２５の側部の揺れを区切る隣接部３１を形成可能とする。最後に、ばね２５の第二端３７はさらに半径方向に貫通した切欠き４３を有し、これはカバーの可動タブ４１に形成された切欠きと補完的な形状を有し、既存の方法によりバー（連接シャフト２４）の端部に自由にアクセスしてカバーを取り付けたり取り除いたりできる。
【００３４】
第一実施例と同じく、ばね２５の端部３６および３７の少なくも一方の側部切欠き３２または３３の直径は、ばね２５の中央部３５の旋回部の内部直径よりも小さいため、ばね２５は連接シャフト２４の遊びがより少なくても旋回可能となる。さらに、ばね２５の端部３７および３７（またはそのうちの一端部）の外径（突起３８および３９を除く）は、ばねの中央部分３５の旋回部の外径よりも大きい。この構造により、連結レバーおよび可動タブの回転のガイドは、中央部の旋回部の形状的な変動とは独立して、ねじの端部により保証される。
【００３５】
図１６から２３には、本発明の第三実施例に係る留め金を示す。
【００３６】
特に図１６および１７に示す本実施例の留め金は、前述の実施例の留め金と類似している。異なる点としては、カバーの可動タブ４１にしっかりと接続された連結レバー２３が、第一実施例の連結レバーにしっかりと接続された部品を構成する中央リンクを介して、中央部で旋回することができることである。
【００３７】
このデザインでは、図１８および１９に示される通り、一つのばね２５が使用される。このばねは、ばねの中央部５０および各二つの端部５６および５７の間にそれぞれ配置される、旋回部からなる二つのいわゆる「ばね」弾性領域５５を有することができる。各端部は前述した実施例のデザインに似た形状を有し、特に少なくとも一つの突起５８および５９を有する。中央部５０は、やはり少なくとも一つの突起５１を有する円筒形を有する。さらに、ばねの二つの端部５６および５７および中央部５０に、貫通切欠き５２および５３が形成される。このばねのさらなる特徴を以下に説明する。
【００３８】
図２０ａおよび２０ｂは、ばねの中央部５０の長手面Ｉ−Ｉにおける留め金の断面図を示す。図示の通り、突起５１は、連結レバー２３およびカバーの可動タブ４１にリンクされる可動リンクアセンブリ内に形成される開口に収納され、このカバーは突起の鍵形状を構成する。この構造により、可動タブ４１に対するばね２５の中央部５０の回転をブロックすることができる。
【００３９】
図２１ａおよび２１ｂは、同じ留め金を、ばね２５の中間ばね領域５５の断面図として示す。ばね２５の旋回部は、遊びを持たせつつ、連接シャフト２４を構成するバーの周りを囲んでいる。
【００４０】
最後に、図２２ａおよび２２ｂは、ばね２５の端部５７における留め金の断面図を示す。この構造は正中面に対称であり、留め金の二つの端部部品はどちらも同一のものとして考えることができる。突起５９はカバーの固定部４０にしっかりと接続された端部に形成された開口部に係合し、それによりばね２５の二つの端部の回転をブロックすることができる。
【００４１】
本実施例の留め金の取り付けのために、連接シャフト２４およびばね２５を取り付けたり取り外したりする必要がある。このため、図２３に示されるように、ばね２５の端部５６および５７に配置された突起５８および５９は、連結レバー２３にしっかりと取り付けられた可動リンクアセンブリの開口を通り、ばね２５の中央部にある突起５１を支える。突起５８、５９および５１は、例えば、この実施例においては一直線に並んでいる。さらに、前述の実施例と同様、貫通切欠き４３により、留め金カバーを取り付けたり取り外したりすることができる。
【００４２】
ばね２５の中央部５０の円形切欠きの直径は、二つのばね部５５の旋回部の内径より小さく、ばね２５の端部５６および５７の円形切欠き５２および５３の直径と同じかそれより小さい。さらに、ばね２５の中央部５０の内径は、連接シャフト２４に対してより小さな遊びを有して旋回する。補完的に、ばね２５の中央部５０の外径（突起５１、５８および５９を除く）、およびばね２５の端部５６および５７（のうち少なくとも一つの端部）の壁部も、ばねのばね部５５の旋回部の外径よりも大きい。このような構造により、連結レバーおよびカバーの可動タブの回転のガイドは、ばね領域の旋回部の形状的な変動とは独立して、保証される。
【００４３】
図２４から３１に、本発明の第四実施例にかかる留め金を示す。
【００４４】
本実施例の留め金は、ねじりばねが別個の連接シャフトと結びついておらず、それ自身で連接シャフトの追加機能を実現する点で、これまでの実施例とは異なる。図２４から２６には、第一実施例に係るデザインに類似した、カバーを有しない留め金の第四実施例を示す。
【００４５】
このデザインにおいて、図２７および２８に示す通り、一つのばね２５が使用される。このばね２５は、二つの端部３６および３７の間に配置される、旋回部からなるらせん形の中央部３５を有する。各端部は実質的に円筒形状を有し、３８および３９の符号で示す、少なくとも一つの突起を周りに有する。各端部はまた、半径方向のガイド機能を奏する伸長円筒部４６および４７を有する。このばねの他の特徴を以下に説明する。
【００４６】
図２９ａおよび２９ｂは、ばね２５の中央部の長手面Ｉ−Ｉにおける留め金の断面図を示す。ばね２５の旋回部の一部の周りに、留め金の連結レバー２３が旋回する。
【００４７】
図３１ａおよび３１ｂは、第四実施例にかかるばね２５の第一端部３７における、留め金の長手面ＩＩ−ＩＩの断面図を示す。ばね２５の突起３９は連結レバー２３に形成された対応する開口と係合し、ばね２５のこの端部の回転をブロックすることができる。
【００４８】
図３１ａおよび３１ｂは、ばね２５の第二端部３６における、第五実施例に係る留め金の長手面ＩＩＩ−ＩＩＩの断面図を示す。ばねの突起３８は端部リンク２２に形成された対応する開口と係合し、ばね２５のこの端部の回転をブロックすることができる。
【００４９】
上述した各デザインのように、ばね２５は、その少なくとも一方の端部に大きな直径を有する外部面を有し、それにより旋回運動のガイド面を構成し、ばねの残りの変動と独立した動きとする。
【００５０】
図３２から３８は、本発明の第五実施例に係る留め金を示す。
【００５１】
本実施例の留め金は、二つのねじりばねが別個の連接シャフトと結びついておらず、それ自身で連接シャフトの追加機能を実現する点で、これまでの実施例とは異なる。図３２から３４には、第一実施例および後続のデザインに類似した、カバーを有しない留め金の例を示す。
【００５２】
このデザインにおいて、前述の実施例の一つのばねは、図３５に示す通り、二つのばね２５および２５’に代えられる。二つのばね２５および２５’は、二つの端部３６および３７または３６’および３７’の間に配置され「ばね」機能を実現する、らせん形の旋回部からなる中央部３５および３５’をそれぞれ有する。前記各端部は実質的に円筒形を有し、その周囲には少なくとも一つの突起３８、３９、３８’（図示しない）および３９’を有する。二つのばね２５および２５’のそれぞれ二つの端部３６および３７’は追加リンク手段を構成する延長部６６および６７’を有し、それにより二つのばね２５および２５’をリンクすることができる。この実施例において、第一のばね２５は、第二のばね２５’の延長部６７’の穴に収まる形状の軸状の突起を有する。二つのばねがリンクされた状態を図３４に示す。
【００５３】
図３６ａおよび３６ｂは、本実施例の留め金の中央部における長手面Ｉ−Ｉの断面図である。この断面は第二ばね２５の延長部６７’を通る。留め金の中央リンク２８がこの延長部６７’を取り囲んでいることがわかる。
【００５４】
図３７ａおよび３７ｂは、本実施例の留め金の第一ばね２５の第一端部３６にある長手面ＩＩ−ＩＩの断面図である。ばね２５の突起３８は連結レバー２３に配置された対応する開口部に係合し、それによりばね２５の該端部の回転をブロックすることができる。実質的に対称な第二ばね２５’の突起３９’もまた、同じ連結レバー２３に形成された鍵形状の開口部に収納される。
【００５５】
図３８ａおよび３８ｂは、本実施例の留め金の第一ばね２５の第二端３７における断面図を示す。ばねの突起３９は端部リンク２２に形成される対応する開口部と係合し、ばね２５の該端部の回転をブロックすることができる。実質的に対称な第二ばね２５’の突起３８’もまた、反対にある端部リンク２２の鍵形状の開口部に収納される。
【００５６】
図３９から４５に、本発明の第六実施例に係る留め金を示す。第六実施例は、前述の実施例のデザインと同様、カバーなしの留め金に関する。
【００５７】
本実施例の留め金は、連接シャフトの機能を単体で実現することのできる、別に配置された一つのねじりばねを使用する点で、前実施例のデザインと異なる。本実施例のデザインにおいて、二つの変形例が図４２および４３に示される一つのばね２５は、「ばね」機能を実現するねじりワイヤからなる中央部３５、およびそれに追加された第一および第二部３６および３７からなる。例えば、これらの部品は溶接、特にレーザ溶接、ろう付けまたは接着により、取り付けることができる。これらの部品はさらに、材料圧縮によりねじりワイヤにしっかりと取り付けることができる。ねじりワイヤの端部における圧縮を許容するため、部品３６および３７に対して形状的な構成、特にフラット８６および８７、が取り付けられる。
【００５８】
図４２は、ねじりワイヤの断面が円形であるようなばねの第一変形例を示す。ねじりワイヤの断面は、例えば、０．５ミリ台の直径を有する。図４３は、ねじりワイヤの断面が四角形であるようなばねの第二実施例を示す。見てわかるとおり、この断面は適切な戻りトルクを発生させるどのような形状の断面であってもよい。このねじりワイヤの断面は中空であってもなくてもよい。好ましくは、このねじりワイヤは商品名Ｎｉｖａｆｌｅｘとして知られるばね素材から加工される。また、Ｐｈｙｎｏｘやその他のコバルト系合金から製造してもよい。このねじりワイヤはまた、商品名Ｎｉｔｉｎｏｌとして知られる形状記憶合金や、もしくはチタニウムから製造してもよい。このねじりワイヤはまた、張力強化されてもよい。
【００５９】
図４４ａおよび４４ｂは、本実施例の留め金の中央部における長手面Ｉ−Ｉの断面図を示す。この断面はばね２５の第一部３６を通る。この部分３６は、その突起３８が中央リンク２８に形成された、突起３８に対する鍵形状を形成する開口に収納されるように配置される。この構成により、中央リンク２８に対する、そして留め金の端リンク２２に対する、ばね２５の部分３６の回転、つまり両方向への回転、をブロックし、留め金は中央リンクに対して連結アセンブリシャフトを介してしっかりと連結される。
【００６０】
図４５ａおよび４５ｂは、本実施例の第一ばね２５の第二部品３７を通る長手面ＩＩ−ＩＩの断面図を示す。ばね２５の突起３９は連結レバー２３に形成され、突起３９に対する鍵形状を形成する開口に係合する。この構成により、連結レバー２３に対するばね２５の部品３７の回転、つまり両方向への回転、をブロックすることができる。この構成により、連結レバー２３の回転は、部品３６および３７または部品３６および３７の一部（突起３８および３９を除く）の外径により、確実にガイドされる。さらに、部品３６および３７は、二つの部品間のリンクシャフトを有する。
【００６１】
すべての実施例において、時計機構の二つの部品の間に弾性連接部を設けるよう、少なくとも一つのねじりばねを有し、それにより従来の方法に比べて体積を減らすことができるという効果がある。ねじは、例えばらせん形の旋回部、または一つ以上のねじりワイヤからなる。
【００６２】
すべての実施例において、ばねは少なくとも一つの突起を有し、該突起は実質的に補完的に、または鍵形状に、係合することにより、ばねの連結される部品とばねの対応する位置を角度的にブロックし、つまり両回転方向に回転しないようブロックする。前述したとおり、変形例においては、この鍵形状は、突起をある程度の角度移動可能としてもよい。そのような変形例において、鍵形状は二つの隣接部材を規定し、それぞれの隣接部材はばねの所定の方向への回転をブロックし、二つの隣接部材間における所定の角度への回転移動を制限する。この構造により、二つの連接された部品を角度的に規定することができる。
【００６３】
さらにまた、ばねの特定の部分は、二つの時計部品の回転運動をガイドする機能を有するガイド面を構成し、ばねの他の部品、特にらせん形のねじりばねにおける旋回部を構成する部品や、他の構造におけるねじりワイヤの形状の欠陥、分散および変動を排除し、これら他の部品により弾性機能が実現される。このため、これらの特定の部分は基本的に円筒状の形状を有し、より少ない遊びを有して時計部品と連結するよう、異なる直径を有する。そのように少ない遊びを有して連結するというのは、遊びが少ないために二つの連結された部品は相対的に回転方向に可動ではあるものの、他の方向に対しては非常に限定的な可動性を有し、それにより回転運動をガイドする機能を保証する。好ましくは、この遊びは０．１５ミリ以下、または０．１ミリ以下であり、例えば名目上０．０７ミリほどである。より少ない遊びで連結されたばねのガイド面と時計部品の対応する面とが円筒状であり、直径がそれぞれＤ１およびＤ２である場合、好ましくは｜Ｄ１−Ｄ２｜≦０．１５ミリまたは０．１ミリであるとよい。
【００６４】
もちろん、実施例の前述した各要素は、変形例として別の形状であってもよい。特に、説明した通り、一つまたは複数のねじりばねを使用することができる。複数のばねを使用する場合、それらは独立していてもよいし、連結されていてもよい。さらに、時計部品同士の回転運動を角度的にブロックおよび／またはガイドしたりするよう、特定の領域はデザインされている。これらの領域はばねの端部および／または中央に向かって位置する。これらの領域は、変形例として、ばねのどの部分に位置されていてもよい。さらに、少なくとも一つの突起を使って角度ブロック要素を構成する。変形例として、放射状または長手方向の突起や、一組の歯、フラット、皿穴および／または穴を使用することができる。さらに、前述したとおり、回転をブロックすることは、すべての回転を完全にブロックするか、それとも二つの隣接部により特定の方向への回転を防ぐことにより、二つの隣接部間の回転運動の自由度をある角度内に制限することを意味する。この運動角度は好ましくは小さく、２０度またはそれより小さく、例えば１０度であってもよい。
【００６５】
さらに、前述のとおり、これらのねじりばねは二つの時計部品の回転軸に沿って配置することが好ましい。ねじりばねは、他の部品を有さないシャフトまたはバー形状の連接シャフトと連結されてもよいし、ねじりばね自体が連接された部品間の物理的な連接シャフトを形成してもよい。変形例として、この回転軸は、例えば構造に含まれる一つ以上のばねによって構成され、直接統合された部分以外の二つの部品間の物理的なシャフトや、回転軸や、リンクシャフトを加えない構造を有する。
【００６６】
本発明は腕時計に採用されるブレスレット型留め金に基づいて説明され、特にそのような留め金における、ロックおよびアンロック部品を実装するレバーまたはカム等の可動部品とその他の留め金内の固定された部品との間のロック機構に関する。変形例として、本発明の留め金は、例えばその動作が通常の回転運動であれ、より複雑な回転と他の位置変化とのコンビネーションであれ、二つの時計部品間の動作において、連接用の弾性的連結のために採用することができる。
【００６７】
例えば、図２７および２８に示した例のように、図４６に概略的に示した通り、二つのねじりばね７５によって連接される二つのブレスレットリンクアセンブリ７１および７２を、ブレスレットの二つのリンクアセンブリ間に実装することができる。そのような構造により、弾性形状のブレスレットの異なるリンクアセンブリを角度的に事前に正しい位置に配置することができ、装着者の腕の形状に合わせて事前に形作ることができる。
【００６８】
他の変形例によると、本発明の特徴は、時計部品の二つの部品間であれば、どの部品間であっても実装することができる。もちろん、前述した他のデザインを組み合わせたり、二つの連接された時計部品間に配置される様々なばねを採用することによって、多くの実施例を容易に想到することができる。
【００６９】
本発明を実現するために、らせん形の旋回部を有する領域からなるばねを最適に製造する点に、解決すべき技術がある。
【００７０】
一つの解決方法は、商品名Ｎｉｖａｆｌｅｘとして知られるばね素材を使って製造することにある。例えばレーザカッティングにより、０．４ミリ台のスロットを形成することができる。
【００７１】
第二の解決方法は、複数の部品からばねを製造することにある。図４７は、例として、三つの別個の部品から特定のばね２５を製造する例を示す。この方法の第一ステップは、ばねの別々の部品のそれぞれを製造することにあり、特に弾性機能を実現する領域を、回転をブロックおよび／またはガイドする領域と別に構成することにある。図４７に示す例に戻ると、事前に張力硬化された巻き線から中央部３５が形成される。その後、二つの端部３６および３７は、ステンレススチール等のより標準的な材料を使って製造される。第二ステップでは、別々の部品を組み合わせる。この組み合わせ過程は、例えばレーザ溶接によって実施される。溶接作業中のストレスを軽減するために、これらの各別個の部品の溶接端は、階段状の切欠き８１を有することができる。この製造方法は、好ましくは正方形または四角の断面を有するワイヤを使用し、求める戻りトルクを得るために選択した旋回部間のスペースを形成するよう製造される。この製造方法は、特に最大ねじりトルクを実現するために、中央部３５のばねの旋回部間に接点を形成することができる。
【符号の説明】
【００７２】
１０、２０    ブレード
２２    端部リンク
２３    連結レバー
２４    連接シャフト
２５、２５’、３５、５５  ばね
３２、３３、５２、５３    円形切欠き
３８、３９、３８’、３９’、５１、５８、５９    突起
【図１】
2014079624.tif 000003
【図２】
2014079624.tif 000004
【図３】
2014079624.tif 000005
【図４】
2014079624.tif 000006
【図５】
2014079624.tif 000007
【図６】
2014079624.tif 000008
【図７】
2014079624.tif 000009
【図８】
2014079624.tif 000010
【図９】
2014079624.tif 000011
【図１０】
2014079624.tif 000012
【図１１】
2014079624.tif 000013
【図１２】
2014079624.tif 000014
【図１３】
2014079624.tif 000015
【図１４】
2014079624.tif 000016
【図１５】
2014079624.tif 000017
【図１６】
2014079624.tif 000018
【図１７】
2014079624.tif 000019
【図１８】
2014079624.tif 000020
【図１９】
2014079624.tif 000021
【図２０】
2014079624.tif 000022
【図２１】
2014079624.tif 000023
【図２２】
2014079624.tif 000024
【図２３】
2014079624.tif 000025
【図２４】
2014079624.tif 000026
【図２５】
2014079624.tif 000027
【図２６】
2014079624.tif 000028
【図２７】
2014079624.tif 000029
【図２８】
2014079624.tif 000030
【図２９】
2014079624.tif 000031
【図３０】
2014079624.tif 000032
【図３１】
2014079624.tif 000033
【図３２】
2014079624.tif 000034
【図３３】
2014079624.tif 000035
【図３４】
2014079624.tif 000036
【図３５】
2014079624.tif 000037
【図３６】
2014079624.tif 000038
【図３７】
2014079624.tif 000039
【図３８】
2014079624.tif 000040
【図３９】
2014079624.tif 000041
【図４０】
2014079624.tif 000042
【図４１】
2014079624.tif 000043
【図４６】
2014079624.tif 000044
【図４７】
2014079624.tif 000045
【図４２】
2014079624.tif 000046
【図４３】
2014079624.tif 000047
【図４４】
2014079624.tif 000048
【図４５】
2014079624.tif 000049
【外国語明細書】
2014079624000001.pdf
2014079624000002.pdf
2014079624000003.pdf
2014079624000004.pdf